(57)【要約】      （修正有）【課題】トイレロール紙を器具にセットするだけで、常に一定量の紙長さに切断できるオートカッターを提供する。【解決手段】ロール紙受皿２１を押すと、ロール紙引き出し軸用モーター２３が起動し、ロール紙をロール紙受皿２１に送り始め、設定秒数で停止。次にカッター刃スライド回転軸用モーター２５が起動、ロール紙押さえ板でロール紙を両側から押さえ、ロール紙切断用カッター刃１５がスライドしながら切断し、戻しバネにより紙押さえ板１２とカッター刃は元の位置に戻り、モーター２５が停止する。【選択図】図２
2006102441.tif 000002
【特許請求の範囲】
【請求項１】
ロール紙の先端接着面を、約１０ｃｍ位剥し、先端を下向きにトイレロール紙受軸（２）の上に乗せ、底部にあるトイレロール紙受皿（２１）を軽く下に押す事により、トイレロール紙引き出し軸用モーター起動スイッチ（２２）が入り、トイレロール紙引き出し軸用モーター（２３）が起動する事で、連動しているトイレロール紙引き出し軸（３）が回転し、ロール紙の先端を挟んで底部にあるトイレロール紙受け皿（２１）に送り始め、最初に基板回路（２７）に設定してある秒数になると、トイレロール紙引き出し軸用モーター（２３）が停止する、次に、カッター刃スライド回転軸用モーター（２５）が起動カッター刃スライド回転軸（６）が回転起動を始め、連動しているカッター刃スライド回転軸受けブラケット（１０、１１）が上下作動する事により、左右のトイレロール紙押さえ板（１２）が間に垂れ下がって居るトイレロール紙を両側から押さえた後に、トイレロール紙押さえ板（１２）の左右上下の間にあるトイレロール紙切断用カッター刃（１５）がスライドしながら切断、切断されるとカッター刃戻しバネ（１６）が作動し、トイレロール紙押さえ板（１２）とトイレロール紙切断用カッター刃（１５）は元の位置に戻り、カッター刃スライド回転軸用モーター（２５）は停止、初期の状態に戻る。
【発明の詳細な説明】
【発明の詳細な説明について】
【技術分野】
【０００１】この発明の器具装置は、トイレで使用する際に使われるトイレロール紙の先端を約１０ｃｍ位剥し、剥した先端を下側に向け器具装置上部にあるトイレロール紙受軸（２）の上に置く事により、その下にあるトイレロール紙引出し軸（３）の外側についている、トイレロール紙スベリ止ゴム（４）に剥したロール紙の先端が触れている状態になった所で、底部にあるトイレロール紙受皿（２１）を軽く下に押す事により受皿の下に付いているトイレロール紙引出し軸モーター起動スイッチ（２２）が入り、トイレロール紙引出し軸用モーター（２３）が起動する事により、トイレロール紙引出し軸（３）を回転させロール紙の先端を挟み込んで下の受皿に搬送、最初に基板回路に設定してある秒数に合わせた長さまでロール紙が搬送されると、トイレロール紙引出し軸用モーター（２３）は停止、次にカッター刃スライド回転軸用モーター（２５）が起動をはじめ、左右にあるカッター刃スライド回転軸（６）が作動し、両側にあるカッター刃スライド回転軸受ブラケット（１０、１１）が上下作動し、トイレロール紙押え板（１２）で上から垂れているロール紙を上下の押え板で押えると同時に、押さえ板の正面に付いているスベリ止ゴム（１３）によってロール紙はピンと張り切断しやすい状態になった所でトイレロール紙切断用カッター刃（１５）で切断、切断後、カッター刃戻しバネで元の位置に戻されて最初の状態に戻る、スイッチが自動的に作動し、トイレロール紙を切断、底部の受け皿に切断されたトイレロール紙を折り重ねてためる。受け皿にたまったトイレロール紙を取り出す際に、受け皿の下部に付いてる起動スイッチが押され、ロール軸用モーターが起動し、又、同じ動作が繰り返される。というように、トイレロール紙を器具上にセットするだけで、ロール紙が無くなるまで常に同じ長さに、ロール紙を切断していくという画期的な器具装置である。
【背景技術】
【０００２】現在、トイレで使用されているトイレロール紙器具は、ロール紙の心の部分を、器具のつめ状の部分に引っ掛けて、ロール紙を手動で引き出し、適当な長さに丸めて使用するか、折り重ねて使用している物が大部分である。
【発明の開示】
【発明が解決しようとする課題】
【０００３】イ）現在、トイレで使用されているロール紙の器具は、ロール紙を２本のつめ状に挟み込み、手動で引き出し、切るだけの器具でしかない。ロ）手動でロール紙を引き出し使用するため、一度に使われるロール紙も一定量ではない為無駄が多く、トイレの詰まりの原因を引き起こす事もある。ハ）手で引き出したり切ったりする煩わしさがあり、又、その都度使用する量も違うため経済的にも無駄が多い。この器具装置は、これらの欠点を無くすために新開発された、トイレロール紙オートカッターである。
【課題を解決するための手段】
【０００４】この新開発された器具装置（トイレロール紙、オートカッター）は、現在使用されているロール紙を、箱状のつめの部分に引っ掛けて手動で出して切って使用していた従来の器具を箱型にして、箱の上部にある軸（２）の上にロール紙の先端を剥し、下向きにして置き、底部にある受け皿（２１）を軽く下に押す事により、ロール紙を引っ張るロール軸モーター（２３）が起動し、ロール紙を底部にある受け皿に搬送を始め、基板回路（２７）に設定してある秒数の長さまでロール紙が搬送されると、ロール軸モーター（２３）が停止し、次にカッター刃回転軸モーター（２５）が起動しはじめ、定位置で止まったロール紙を切断する、切り離されたロール紙は底部の受け皿（２１）にそのまますぐ使用出来る様に折り重ねられて受け皿（２１）に置かれる、ロール紙を剥しロール軸（２）の上に置き、受け皿（２１）を押して、折り重なったロール紙を受け皿（２１）から取り出すと、引き出し軸用モーター（２３）ガ起動し、次のロール紙が受け皿（２１）にたまるという様にだれにでも簡単に使用出来る、トイレロール紙、オートカッターである。
【発明の効果】
【０００５】トイレロール紙の先端接着部分を剥し、箱の上部にある軸の上に剥した先端を下向きに乗せ、底部にあるトイレロール紙受け皿を軽く押すと、ロール軸のモーターが軌道し、ロール紙を引き出し底部にある受け皿に一回分の使用量のトイレ紙が折り重ねられ、取り出してそのまま使用出来る状態でたまる、又、受け皿にたまったロール紙を取り出す時に、受け皿に触れる事により、受け皿の下に付いている軌道スイッチが入り、次のトイレ紙が折り重ねられて受け皿にたまる様に最初にロール紙を箱の上部の軸の上にセットし、底部の受け皿を押すことにより、一回分の必要な量のトイレ紙が常に受け皿に折り重ねられためられる。この器具装置は、現在、手動で行っている事を自動で出来る上に、一回分の紙の量も基板回路に最初に設定した通り常に同じ長さに切断される為、手動でロール紙を出したり、切ったりと言う煩わしさがなくなり、ロール紙の長さが常に一定の長さに切断されるため無駄がなく、経済的であり、年寄り、子供にも使い易い器具装置、トイレロール紙、オートカッターである。
【発明を実施するための最良の形態】
【実施例】
【０００６】  以下、本発明の実施例について説明をする、イ）本体（１）の箱の中にある上部のトイレロール紙受け軸（２）の上にロール紙の接着面先端を、約１０ｃｍ位剥し、剥した先端を下にしてトイレロール紙受け軸（２）に乗せる。ロ）ロール紙を、トイレロール紙受け軸（２）に乗せたら、底部にあるトイレロール紙受け皿（２１）を軽く下に押すことにより、トイレロール紙受け皿（２１）の下に付いているトイレロール紙引き出し軸用モーター起動スイッチ（２２）が入り、トイレロール紙引き出し軸用モーター（２３）が起動をはじめる。ハ）トイレロール紙引き出し軸用モーター（２３）が起動する事により、トイレロール紙引き出し軸（３）の外側に巻き付けてあるトイレロール紙スベリ止めゴム（４）が上部から垂れているロール紙の先端を挟み込み、底部にあるトイレロール紙受皿（２１）に搬送されていく。ニ）起動回転を始めたトイレロール紙引き出し軸（３）は、予めセットしてある基板回路（２７）の設定秒数になると停止し、トイレロール紙引き出し軸用モーター（２３）は起動停止する。ホ）トイレロール紙引き出し軸用モーター（２３）停止後、カッター刃スライド回転軸用モーター（２５）が起動し、カッター刃スライド回転軸（６）が回転を始め、カッター刃スライド回転軸受けブラケット（１０、１１）をスライド作動させ、トイレロール紙押さえ板（１２）とトイレロール紙切断用カッター刃（１５）を作動させる。トイレロール紙押さえ板（１２）で上部からトイレロール紙受け皿（２１）に垂れているロール紙を挟み、トイレロール紙押さえ板（１２）の間にあるトイレロール紙切断用カッター刃（１５）で切断、ロール紙を切断後、カッター刃戻しバネ（１６）の作動でトイレロール紙押さえ板（１２）とトイレロール紙切断用カッター刃（１５）は元の位置に戻されカッター刃スライド回転軸用モーター（２５）は起動を停止する。ヘ）底部にあるトイレロール紙受け皿（２１）に、折り重ねられたロール紙は取り出すだけでそのまま使用可能である。ト）トイレロール紙受け皿（２１）に折り重ねられたロール紙を取り出す時に、トイレロール紙受け皿（２１）に触れると、トイレロール紙受け皿（２１）が上下に動き、トイレロール紙受け皿（２１）の下部に付いているトイレロール紙引き出し軸用モーター起動スイッチ（２２）が入り一連の動作が繰り返され次のロール紙がトイレロール紙受け皿（２１）に常時たまっている状態になる、トイレロール紙オートカッターである。
【図面の簡単な説明】
【０００７】
【図１】「本発明の正面図である。」
【図２】「本発明の側面図である。」
【図３】「本発明の側面断面図である。」
【０００８】  「図１〜図６まで」
【符号の説明】
【０００９】  １  本体  ２  トイレロール紙受け軸  ３  トイレロール紙引き出し軸  ４  トイレロール紙スベリ止めゴム  ５  トイレロール紙引き出し軸用歯車  ６  カッター刃スライド回転軸  ７  カッター刃スライド回転軸用ベアリング  ８  カッター刃スライド回転軸用歯車  ９  カッター刃スライド回転軸受け枠１０  カッター刃スライド回転軸受けブラケット１１  カッター刃スライド回転軸受けブラケット１２  トイレロール紙押さえ板１３  トイレロール紙スベリ止めゴム１４  トイレロール紙押さえ板戻しピン１５  トイレロール紙切断用カッター刃１６  カッター刃戻しバネ１７  トイレロール紙押さえ板カッター刃用スライド枠１８  カッター刃戻しバネ用引掛けピン１９  カッヤー刃スライド回転軸受けブラケット用戻しバネ２０  トイレロール紙受け皿用丁番２１  トイレロール紙受け皿２２  トイレロール紙引き出し軸用モーター起動スイッチ２３  トイレロール紙引き出し軸用モーター２４  トイレロール紙引き出し軸用歯車２５  カッター刃スライド回転軸用モーター２６  カッター刃スライド回転軸用歯車２７  基板回路
【図１】
2006102441.tif 000003
【図２】
2006102441.tif 000004
【図３】
2006102441.tif 000005
2006102441.tif 000006
2006102441.tif 000007
2006102441.tif 000008
2006102441.tif 000009
2006102441.tif 000010
2006102441.tif 000011
【手続補正書】
【提出日】平成17年1月28日(2005.1.28)
【手続補正２】
【補正対象書類名】明細書
【補正対象項目名】０００７
【補正方法】変更
【補正の内容】
【０００７】
【図１】  「本発明の正面図である。」
【図２】  「本発明の側面図である。」
【図３】  「本発明の側面分割図である。」
【図４】  「外形外箱部品図である。」
【図５】  「２−トイレロール紙受け軸。」  「３−トイレロール紙引き出し軸。」  「４−トイレロール紙スベリ止めゴム。」  「５、８、２４、２６、−トイレロール紙引き出し軸用歯車。」  「７−カッター刃スライド回転軸用ベアリング。」
【図６】  「９−カッター刃スライド回転軸受け枠。」  「１０−カッター刃スライド回転軸受けブラケット。」  「１１−カッター刃スライド回転軸受けブラケット。」  「１９−カッター刃スライド回転軸受けブラケット用戻しバネ。」  「１８−カッター刃戻しバネ用引っ掛けピン。」  「１６−カッター刃戻しバネ。」
【図７】  「６−カッター刃スライド回転軸。」  「２１−トイレロール紙受け皿。」  「２０−トイレロール紙受け皿用丁番。」  「２２−トイレロール紙引き出し軸用モーター軌道スイッチ。」
【図８】  「１２−トイレロール紙押さえ板。」  「１３−トイレロール紙スベリ止めゴム。」  「１４−トイレロール紙押さえ板戻しピン。」  「１５−トイレロール紙切断用カッター刃。」  「１７−トイレロール紙押さえ板カッター刃用スライド枠。」
【図９】  「２３−トイレロール紙引き出し軸用モーター。」  「２５−カッター刃スライド回転軸用モーター。」  「２７−基盤回路。」
【手続補正３】
【補正対象書類名】明細書
【補正対象項目名】０００８
【補正方法】削除
【補正の内容】
【手続補正４】
【補正対象書類名】図面
【補正対象項目名】全図
【補正方法】変更
【補正の内容】
【図１】
2006102441.tif 000012
【図２】
2006102441.tif 000013
【図３】
2006102441.tif 000014
【図４】
2006102441.tif 000015
【図５】
2006102441.tif 000016
【図６】
2006102441.tif 000017
【図７】
2006102441.tif 000018
【図８】
2006102441.tif 000019
【図９】
2006102441.tif 000020